(57)【要約】【課題】  カラーメインパネルとサブパネルを１チップで駆動する際の、両パネルの表示画面の対応が取れる配線方法を実現する。【解決手段】  ドライバＩＣから出力した駆動信号をカラーのメインパネルに接続し、更にそこから駆動信号を引き出しメインパネルとサブパネルの画素の比率によって、信号を間引いてサブパネルに接続する。また、サブパネルが白黒の場合、メインパネルの青の信号だけから接続する。【選択図】    図３
2005107429.tif 000002
【特許請求の範囲】
【請求項１】
第一の表示パネルと、第二の表示パネルと、駆動信号を出力するドライバＩＣを備える表示装置において、前記第一の表示パネルは複数色のカラー画素電極で構成したカラー表示パネルであり、前記第二の表示パネルは単色の画素電極で構成した表示パネルであり、前記第一の表示パネルを構成する複数色のカラー画素電極のうち何れか一つの色の画素電極を駆動する信号が、前記第二の表示パネルに駆動信号として入力されることを特徴とする表示装置。
【請求項２】
第一の表示パネルと第二の表示パネルとドライバＩＣとを備える表示装置であって、前記第一の表示パネルは画面を構成する画素数が前記第二の表示パネルより大きく、前記ドライバＩＣが出力する駆動信号を前記第一及び第二の表示パネルで共通して用いるとともに、前記第一の表示パネルの信号電極を間引いて前記第二の表示パネルの信号電極に接続したことを特徴とする表示装置。
【発明の詳細な説明】
【技術分野】
【０００１】
本発明は、携帯電話などの携帯機器等や、電子手帳に使用されているパッシブマトリクス液晶パネルやアクティブマトリクス液晶パネルや有機ＥＬなどの表示パネルが両面に配置した表示装置に関する。より詳しくは、表示装置の両面パネルを駆動するＩＣの配線構造に関する。
【背景技術】
【０００２】
従来の表示装置、例えば、ＳＴＮ型液晶表示装置では、セグメント電極とコモン電極をマトリクス状に配置することで、ドットマトリックスを構成している。各電極の表面にはポリイミドなどの配向膜が形成され、その間に液晶層が設けられている。各電極に時分割で電圧を印加することにより画面を駆動する。各セグメント電極と各コモン電極はドライバＩＣの出力電極が接続されており、ドライバＩＣから各電極に駆動信号が印加される。それぞれの電極に印加されるセグメント信号とコモン信号はそれぞれ異なっている。画素数が１６０×１２８ドット程度であれば、セグメント信号とコモン信号を出力するドライバＩＣは１チップで構成されているが、それ以上の画素数では、セグメントとコモンのドライバＩＣにはそれぞれの専用のドライバを使用する。ドライバＩＣの駆動信号の出力数と画素数の関係に応じて、複数のドライバＩＣを使用することもある。近年携帯電話は、二つに開くシェルタイプが多く採用されており、表示画面として、メイン画面と背面のサブ画面が搭載され、二つの画面が両面に表示される形態（以下、両面パネルと称す）が増えている。二つの画面は、別々の表示パネルで構成されている（例えば、特許文献１参照）。これらの表示パネルを駆動するＩＣはそれぞれに実装され、画面を駆動していたか、二つの表示画面を足した画素数に対応した一つのドライバＩＣで二つの画面を駆動していた。後者の場合、例えばＳＴＮ型液晶の場合には、セグメント信号をメインの表示パネルに接続した辺と対向する辺から信号を引き出し、サブの表示パネルにフィルム基板で接続しセグメント信号を共用した。また、コモン電極は、セグメント信号の接続端子の両側に配置し、メインの表示パネルで使用するコモン電極のさらに両側にサブ画面専用の信号をメインの表示パネルに接続し、メインの表示パネルの外周を経由してサブの表示パネルにセグメント信号と同様に接続して、二つの画面を駆動した。
【０００３】
または、ＩＣから出力した信号をメインパネルに接続した端子で分岐して、例えばフレキシブル基板でサブパネルに接続する方法では、セグメント信号だけではなくコモン信号も共用することができる。
【特許文献１】特開２０００−３３８４８３号公報（第２頁、第１図）
【発明の開示】
【発明が解決しようとする課題】
【０００４】
しかしながら、従来の両面パネルでは、以下のような問題点が存在した。
（１）メインパネルとサブパネルの画素数が違うため、サブパネルにはメインパネルの一部分しか表示できなかった。
（２）メインパネルがカラー液晶であり、サブパネルが白黒の場合は、メインパネルのセグメント信号がＲＧＢの連続の信号をサブパネルに連続に接続するため、文字表示や絵を表示するデーターの対応が困難であった。
【０００５】
そこで、本発明の目的は、メインパネルとサブパネルの表示画面の対応が取れる配線の接続方法を提供することにある。
【課題を解決するための手段】
【０００６】
上記した従来構造の課題を解決するために、本発明の表示装置は、メインの表示パネルに接続した信号を数本おきにサブの表示パネルに接続して表示することを特徴とする。
【０００７】
すなわち、本発明の表示装置は、第一の表示パネルと第二の表示パネルと駆動信号を出力するドライバＩＣを備えており、第一の表示パネルは複数色のカラー画素電極で構成したカラー表示パネルであり、第二の表示パネルは単色の画素電極で構成した表示パネルであり、第一の表示パネルを構成する複数色のカラー画素電極のうち何れか一つの色の画素電極を駆動する信号が、第二の表示パネルに駆動信号として入力される。
【０００８】
あるいは、本発明の表示装置は、第一の表示パネルと第二の表示パネルとドライバＩＣとを備えており、第一の表示パネルは画面を構成する画素数が第二の表示パネルより大きく、ドライバＩＣが出力する駆動信号を第一及び第二の表示パネルで共通して用いるとともに、第一の表示パネルの信号電極を間引いて第二の表示パネルの信号電極に接続している。
【発明の効果】
【０００９】
それぞれカラーのメインパネルとサブパネルを１チップ表示する表示装置において、メインパネルの映像をそのままサブパネルにサイズを縮小して表示することができるので、携帯電話のカメラ映像などを同時に表示することができるようになった。
【００１０】
また、サブパネルが白黒の場合も文字などの情報をカラーのメインパネルの１色と対応して表示することができ、表示画面の利便性が向上した。
【発明を実施するための最良の形態】
【００１１】
本発明による表示装置は、メインパネルとサブパネルがカラーパネルである場合、メインパネルとサブパネルのドット数の比率で、メインパネルに接続した電極を間引いてサブパネルに接続する。また、サブパネルが白黒の場合は、メインパネルに接続したＲ、ＧまたはＢの何れかの１色でメインパネルとサブパネルの画素数の比率でメインパネルに接続した電極を間引いてサブパネルに接続する。
【実施例１】
【００１２】
以下に本発明の実施例を図面に基づいて説明する。図１は、赤緑青（以下ＲＧＢ）からなるカラーフィルターを備え透明電極でマトリクス状に画素を構成したメインパネルにドライバＩＣ３を実装した第一のＦＰＣ２を接続した半完成品の上面図である。図２は、同じくＲＧＢからなるカラーフィルターを備え透明電極でマトリクス状に画素を構成したサブパネルに第二のＦＰＣ５を接続した半完成品の上面図である。図３は、このメインパネル１の端子に第二のＦＰＣ５の端子を実装して配線の接続が完了した状態を示す上面図である。図４は、メインパネル１に第一のＦＰＣ２を接続したメインパネルの透明電極に第二のＦＰＣ５を接続した状態を示す断面図である。メインパネル１は、縦１６０ドットで横１２８ドットの構成で、ＲＧＢのカラーフィルターが配列し、コモン電極は１６０本でセグメント電極は１２８×３で３８４本からなる。サブパネル４は、縦８０ドットで横６４ドットの構成で、ＲＧＢのカラーフィルターが配列し、コモン電極が８０本で、セグメント電極が６４×３で１９２本からなる。ドライバＩＣ３は、メインパネル１を駆動するためのコモンとセグメントの信号を出力している。第二のＦＰＣ５は、第一ＦＰＣ２の電極とメインパネル１の透明電極を接続した接続部に隣接した位置にメインパネル１の透明電極と接続しており、メインパネルの透明電極に接続して、コモン電極は、奇数ラインまたは偶数ラインをサブパネルに接続してある。セグメント電極は、ＲＧＢを１セットにして、１セットおきにサブパネルに接続している。
【００１３】
このように接続した状態での表示画像は、メインパネルの画像をサブパネルでは縮小して表示することができ、特に写真画像などの絵を同時にメインパネルとサブパネルに表示することができる。図３に示す状態から、バックライトやプラスチックのフレームを取り付けて表示モジュールは完成する。
【実施例２】
【００１４】
本実施例は、サブパネル４がカラーパネルではないという点で上述した実施例１と異なっている。実施例１と重複する部分はここでは省略する。サブパネル４は、縦８０ドットで横６４ドットの構成で、コモン電極が８０本で、セグメント電極が６４本からなる。ドライバＩＣ３は、メインパネル１を駆動するためのコモンとセグメントの信号を出力している。ＦＰＣ５は、ＦＰＣ２の電極とメインパネル１の透明電極を接続した接続部に隣接した位置にメインパネル１の透明電極と接続しており、メインパネルの透明電極に接続して、コモン電極は、メインパネル１のコモン１番〜８０番の信号をサブパネルに接続してある。セグメント電極は、メインパネル１のＢに接続している電極のみ接続し、Ｂの３３番〜Ｂの９６番をサブパネルへ接続している。
【００１５】
このように接続した状態での表示画像は、メインパネルで表示した画像で文字や絵を表示することができる。但し、Ｂの信号を使った表示のみ、サブパネルに表示するので、全ての画像が対応するわけではない。
【図面の簡単な説明】
【００１６】
【図１】メインパネルと第一のＦＰＣを接続した上面図
【図２】サブパネルと第二のＦＰＣを接続した上面図
【図３】メインパンルとサブパネルを接続した上面図
【図４】メインパネルの端子部のＦＰＣとの接続を示す側面図
【符号の説明】
【００１７】
１  メインパネル
２  第一のＦＰＣ
３  ＩＣ
４  サブパネル
５  第二のＦＰＣ
【図１】
2005107429.tif 000003
【図２】
2005107429.tif 000004
【図３】
2005107429.tif 000005
【図４】
2005107429.tif 000006